(57)【要約】【課題】所定のスクリーンを、コンテンツの画像の投影のみならず、板書や掲示にも用いることができると共に、投影したコンテンツの画像の視認性と、板書や紙媒体の視認性とを両立できるプロジェクタを提供する。【解決手段】投影された投影画像によって画定された投影画像領域を、コンテンツを視認できる視認可能領域と、コンテンツの画像を平滑化処理をして投影する平滑化投影領域との２つの領域に定める。【選択図】図４
2009157307.tif 000002
【特許請求の範囲】
【請求項１】
コンテンツの画像を被投影体に投影するプロジェクタであって、
前記被投影体に投影された被投影画像によって画定された被投影画像領域を、
前記コンテンツを視認できる視認可能領域と、
前記コンテンツの画像の少なくとも一部に対して平滑化処理をして投影する平滑化投影領域と、に定める領域設定手段を含むことを特徴とするプロジェクタ。
【請求項２】
前記領域設定手段は、前記平滑化投影領域を被投影体に投影している投影面に複数定めることができる請求項１に記載のプロジェクタ。
【請求項３】
前記領域設定手段は、前記被投影体における前記平滑化投影領域の照度を、前記視認可能領域の照度よりも小さくする請求項１又は２に記載のプロジェクタ。
【請求項４】
前記領域設定手段は、前記平滑化投影領域におけるコンテンツの画像の視認性を、前記視認可能領域におけるコンテンツの画像の視認性よりも低下させる請求項１ないし３のいずれかに記載のプロジェクタ。
【請求項５】
前記視認可能領域において、前記コンテンツの画像を移動可能に投影する請求項１ないし４のいずれかに記載のプロジェクタ。
【請求項６】
前記領域設定手段は、前記被投影画像領域において、前記平滑化投影領域を移動可能に設定する請求項１ないし５のいずれかに記載のプロジェクタ。
【請求項７】
前記被投影体の大きさを検出する検出手段と、
前記被投影体の大きさに応じて、前記被投影画像領域を定める領域決定手段と、を含む請求項１ないし６のいずれかに記載のプロジェクタ。
【請求項８】
前記検出手段は、前記被投影体において、前記コンテンツとは異なる非コンテンツ情報を検出し、
前記領域決定手段は、前記非コンテンツ情報の大きさに基づいて、前記平滑化投影領域を定める請求項７に記載のプロジェクタ。
【発明の詳細な説明】
【技術分野】
【０００１】
スクリーン、例えばホワイトボードや部屋の壁にコンテンツの画像を投影するプロジェクタに関する。
【背景技術】
【０００２】
会議等の場におけるプレゼンテーションでは、プロジェクタ等の表示装置を用いて資料を提示する場合が多くなってきている。このようなプレゼンテーションにおいて、進行を円滑に進めるために、コンテンツの画像を投影する位置を発表者が設定できる、すなわち、発表者が所望する位置にコンテンツの画像を投影できるように投影位置を設定できるようにしたプロジェクタも存在する（例えば、特許文献１及び特許文献２参照）。
【特許文献１】特開２００５−１９５９３９号公報
【特許文献２】特開２００５−３９５１８号公報
【発明の開示】
【発明が解決しようとする課題】
【０００３】
しかしながら、会議等の場では、発表者が一方的に単に発表するだけでなく、発表した後に、発表者と視聴者との間で、質疑応答する機会や、議論したり検討したりする機会が、通常設けられている。この議論や検討をするときには、プレゼンテーションに用いたコンテンツの画像を再び投影しつつ、その内容について、新たな情報や修正するための情報を、なんらかの場所、例えば、スクリーンとしてホワイトボードを用いて板書する必要が生ずる場合がある。また、板書だけでなく、ポスターや張り紙などの紙媒体を貼付して行う場合も想定される。
【０００４】
このように、従来のプロジェクタを用いた場合に、ホワイトボードを、コンテンツの画像の投影に用いると共に、板書や紙媒体の貼付にも用いたときには、コンテンツの画像が邪魔になって、板書しづらかったり板書や紙媒体が視認しにくくなったりせざるを得なかった。
【０００５】
さらに、従来のプロジェクタにはズーム機能も備えられている場合もあり、ズーム機能を活用してコンテンツの画像の大きさを変更することもできるが、コンテンツの画像をスクリーンに投影すると共に、板書や紙媒体をそのスクリーンに貼付した場合には、コンテンツの画像を小さく投影せざるをえず、コンテンツの画像を見にくくするものであった。
【０００６】
このように、上述したような従来のプロジェクタを用いたときには、投影したコンテンツの画像の視認性と、板書や紙媒体の視認性とを両立することができず、プレゼンテーションや議論や検討の進行を円滑に進めることができなかったり、そのときのプロジェクタの操作が煩雑になったりせざるを得なかった。
【０００７】
さらにまた、近年では、いわゆるインタラクティブタイプの電子黒板も存在する。これは、コンテンツの画像を投影できると共に、専用の電子ペンを使って板書できるものである。しかしながら、このようなインタラクティブタイプの電子黒板は、投影モードと書き込みモードを切り替えて使うもので、このようなものでも、投影したコンテンツの画像の視認性と、板書や紙媒体の視認性とを両立できるものではなかった。
【課題を解決するための手段】
【０００８】
本発明は、上述の点に鑑みてなされたものであり、その目的とするところは、所定のスクリーンを、コンテンツの画像の投影のみならず、板書や掲示にも用いることができると共に、投影したコンテンツの画像の視認性と、板書や紙媒体の視認性とを両立できるプロジェクタを提供することにある。
【０００９】
以上のような目的を達成するために、本発明においては、投影された投影画像によって画定された投影画像領域を、コンテンツを視認できる視認可能領域と、コンテンツの画像に対して平滑化処理をして投影する平滑化投影領域との２つの領域に定める。
【００１０】
具体的には、本発明に係るプロジェクタは、
コンテンツの画像を被投影体に投影するプロジェクタであって、
前記被投影体に投影された投影画像によって画定された投影画像領域を、
前記コンテンツを視認できる視認可能領域と、
前記コンテンツの画像の少なくとも一部に対して平滑化処理をして投影する平滑化投影領域と、に定める領域設定手段を含むことを特徴とする。
【００１１】
このように、本発明に係るプロジェクタは、コンテンツの画像を被投影体に投影する。この被投影体は、いわゆるスクリーンとして機能するものであればよく、従来から存在する映画やスライドや幻灯などを映写するための幕として機能するものを用いることができる。特に、被投影体は、いわゆるホワイトボードや、電子黒板や、電子情報ボードであるものが好ましい。さらに、被投影体は、プロジェクタが設置された部屋等の建造物の壁や天井や床などでもよい。
【００１２】
本発明に係るプロジェクタは、領域設定手段を含む。領域設定手段は、投影画像領域を２つの領域に画定する。投影画像領域は、被投影体に投影された投影画像によって画定される領域である。２つの領域の一方は、視認可能領域であり、他方は、平滑化投影領域である。
【００１３】
視認可能領域は、コンテンツを視認できる領域であり、コンテンツの画像が視認できるように、そのまま投影される領域である。この「そのまま」とは、コンテンツの画像を視認できる程度の範囲内で加工される可能性があることを意味する。コンテンツの画像が、プレゼンテーションの発表者や視聴者に視認できるならば、コンテンツの画像を加工処理せずに投影してもよい。また、コンテンツの画像を加工する場合においても、コンテンツの内容がプレゼンテーションの発表者や視聴者に視認できる範囲内の加工処理に止めることを意味し、例えば、コンテンツの画像を見やすくするために色や形や大きさを補正するような加工を意味する。
【００１４】
一方、平滑化投影領域は、コンテンツの画像の少なくとも一部に対して平滑化処理をして投影される領域である。平滑化投影領域は、コンテンツとは異なる他の情報をプレゼンテーションの発表者や視聴者に視認させるための領域である。例えば、プレゼンテーションの発表者や視聴者によって、板書されたり、ポスターや張り紙などの紙媒体が貼付されたりする領域であり、板書の内容を視認させたり、ポスターや張り紙などの紙媒体の内容を視認させたりするための領域である。したがって、平滑化投影領域は、板書やポスターや張り紙などのコンテンツとは異なる他の情報をプレゼンテーションの発表者や視聴者に視認しやすくするための領域であって、平滑化投影領域に投影されているコンテンツの画像をプレゼンテーションの発表者や視聴者に視認させるための領域ではない。むしろ、平滑化投影領域に投影されているコンテンツの画像をプレゼンテーションの発表者や視聴者に視認させにくくすることによって、板書やポスターや張り紙などを視認しやすくするための領域である。このため、平滑化投影領域に投影されることになるコンテンツの画像のデータに対して平滑化処理を施して投影する。
【００１５】
平滑化処理は、コンテンツの画像を構成する画素（ピクセル）ごとの濃度値の細かい変化を少なくしたり、画素ごとの輝度値の細かい変化を軽減したりすることによって、滑らかな画像にする処理や、画像をぼかす処理である。具体的には、平滑化処理の態様は、暗くなると視認できる方向（照度や輝度を低める）で平滑化したり、明るくなると視認できる方向（照度や輝度を高める）で平滑化したり、コントラストを低下させることで平滑化したり、色を混ぜることで平滑化したり、フィルタに依る画像処理によって、全体をぼかしたり輪郭をぼかしたりすることで平滑化したりするものなどである。
【００１６】
平滑化投影領域は、コンテンツの画像が投影されると共に、コンテンツとは異なる他の情報を提示するための領域、例えば、板書やポスターや張り紙などが貼付される領域である。すなわち、平滑化投影領域では、板書やポスターや張り紙などに重畳して、コンテンツの画像が投影される領域である。この平滑化投影領域では、コンテンツの画像ではなく、板書やポスターや張り紙などを、プレゼンテーションの発表者や視聴者に視認しやすくするために定める領域である。このため、この平滑化投影領域に投影されることになるコンテンツの画像のデータに対して平滑化処理を施し、平滑化処理した後のコンテンツの画像を投影することによって、コンテンツの画像を視認しにくくすることにより、板書やポスターや張り紙などを相対的に視認し易くすることができる。
【００１７】
また、上述したように、平滑化投影領域は、コンテンツの画像の少なくとも一部に対して平滑化処理をして投影する領域である。この「コンテンツの画像の少なくとも一部」とは、板書やポスターや張り紙などがされた領域、又はされる可能性のある領域に対応する。したがって、「コンテンツの画像の少なくとも一部」からなる領域は、投影画像領域のうち、板書やポスターや張り紙などの大きさや位置や形状に応じて定まる領域にするのが好ましい。
【００１８】
このように視認可能領域と平滑化処理をして投影する平滑化投影領域とに分離して処理することによって、平滑化投影領域に投影されるコンテンツの画像を視認しにくくして、板書やポスターや張り紙などを相対的に視認し易くすることができる。
【００１９】
また、本発明に係るプロジェクタは、
前記領域設定手段が、前記平滑化投影領域を被投影体に投影している投影面に複数定めることができるものが好ましい。
【００２０】
このように、平滑化投影領域が複数ある場合、すなわち、板書やポスターや張り紙などがされた領域が複数存在するような場合においても、それらの各々において処理をすることができ、平滑化投影領域の各々において、コンテンツの画像を視認しにくくして、板書やポスターや張り紙などを相対的に視認し易くすることができる。
【００２１】
さらに、本発明に係るプロジェクタは、
前記領域設定手段が、前記被投影体における前記平滑化投影領域の照度を、前記視認可能領域の照度よりも小さくするものが好ましい。
【００２２】
このように、視認可能領域の照度よりも小さくして、平滑化投影領域のコンテンツの画像を投影するので、コンテンツとは異なる他の情報を平滑化投影領域に位置づけたときには、コンテンツの画像よりも他の情報の方を視認しやすくすることができる。
【００２３】
さらにまた、本発明に係るプロジェクタは、
前記領域設定手段が、前記平滑化投影領域におけるコンテンツの画像の視認性を、前記視認可能領域におけるコンテンツの画像の視認性よりも低下させるものが好ましい。
【００２４】
ここで、「コンテンツの視認性」とは、コンテンツの大きさや色やコントラスト等のコンテンツの画像を表示するための属性を変更することによってコンテンツを認識できる度合いをいう。このようにすることで、コンテンツとは異なる他の情報を平滑化投影領域に位置づけたときには、コンテンツの画像よりも他の情報の方を視認しやすくすることができる。
【００２５】
また、本発明に係るプロジェクタは、
前記視認可能領域において、前記コンテンツの画像を移動可能に投影するものが好ましい。
【００２６】
コンテンツとは異なる他の情報の大きさや位置や形状に応じて、コンテンツの画像を移動して投影できるので、コンテンツの画像を視認しやすく投影できると共に、コンテンツとは異なる他の情報も視認しやすく提示することができる。
【００２７】
さらに、本発明に係るプロジェクタは、
前記領域設定手段が、前記投影画像領域において、前記平滑化投影領域を移動可能に設定するものが好ましい。
【００２８】
コンテンツの画像の大きさや位置や形状に応じて、コンテンツとは異なる他の情報を設定できるので、コンテンツの画像を視認しやすく投影できると共に、コンテンツとは異なる他の情報も視認しやすく提示することができる。例えば、ホワイトボードの板書できるフィルムを移動させたり、ホワイトボード自体を移動させたりした場合や、壁に貼付しているポスターや張り紙の位置を変更して貼付し直したような場合であっても、その移動や変更に応じて平滑化投影領域を移動させることにより、コンテンツとは異なる他の情報を視認しやすくできると共に、コンテンツの画像も視認しやすくできる。
【００２９】
さらにまた、本発明に係るプロジェクタは、
前記被投影体の大きさを検出する検出手段と、
前記被投影体の大きさに応じて、前記投影画像領域を定める領域決定手段と、を含むものが好ましい。
【００３０】
被投影体の大きさに応じて、投影画像領域を定めることができるので、被投影画像領域を自動的に定めることができ、プロジェクタの操作を簡便にかつ容易にすることができる。
【００３１】
また、本発明に係るプロジェクタは、
前記検出手段が、前記被投影体において、前記コンテンツとは異なる非コンテンツ情報を検出し、
前記領域決定手段が、前記非コンテンツ情報の大きさに基づいて、前記平滑化投影領域を定めるものが好ましい。
【００３２】
平滑化投影領域を自動的に定めることができるので、プロジェクタの操作を簡便にかつ容易にすることができる。
【発明の効果】
【００３３】
所定のスクリーンを、コンテンツの画像の投影のみならず、板書や掲示にも用いることができると共に、投影したコンテンツの画像の視認性と、板書や紙媒体の視認性とを両立できる。
【発明を実施するための最良の形態】
【００３４】
以下に、本発明の実施例について図面に基づいて説明する。
【００３５】
＜＜＜プロジェクタ１１０による投影の概要＞＞＞
図１（ａ）は、プロジェクタ１１０を用いてコンテンツの画像を投影したときの概略を示す斜視図である。この図１（ａ）は、発表者（図示せず）が、会議等の場で、プレゼンテーションをするために、プロジェクタ１１０を用いてコンテンツの画像を被投影体１０に投影している様子を示す図である。なお、プレゼンテーションの視聴者（図示せず）は、被投影体１０に投影されたコンテンツの画像を視認すると共に、発表者の話や再生装置から発せられた音声などを聴くことによって、プレゼンテーションを受けている。
【００３６】
プロジェクタ１１０は、所定のコンテンツの画像を被投影体１０に投影するように光を発する。プロジェクタ１１０の具体的な構成に関しては、図２を用いて後述する。被投影体１０は、投影面１２を有する。コンテンツの画像は、投影面１２が形成されている領域に含まれるように投影される。投影面１２は、投影されたコンテンツの画像をプレゼンテーションの視聴者に視認しやすくするために、平坦な形状を有するものが好ましい。この被投影体１０は、いわゆるスクリーンとして機能するものであればよく、従来から存在する映画やスライドや幻灯などを映写するための幕として機能するものを用いることができる。特に、被投影体１０は、いわゆるホワイトボードや、電子黒板や、電子情報ボードであるものが好ましい。また、被投影体１０は、プロジェクタ１１０が設置された部屋等の建造物の壁や天井や床などでもよい。
【００３７】
投影面１２は、移動することなく固定的に構成されていても、移動可能に構成されていてもよい。投影面１２が、移動可能に構成されている場合には、例えば、フィルムなどで構成されて、モータなどを駆動することによって、投影面１２を被投影体１０の表と裏とを移動させることができる。また、投影面１２は、水性ペンや油性ペンなどを用いて板書できる。
【００３８】
図１（ｂ）は、被投影体１０に形成される各種の領域を示す正面図である。
まず、プロジェクタ１１０によって、コンテンツの画像が被投影体１０に投影されることにより、被投影体１０には、被投影画像領域１４が形成される。この被投影画像領域１４は、プロジェクタ１１０が、コンテンツの画像を投影することができる最も広い範囲の領域である。この被投影画像領域１４の大きさは、プロジェクタ１１０を構成する光学素子の構成や設定によって定まると共に、プロジェクタ１１０と被投影体１０との間の距離によっても定まる。
【００３９】
被投影画像領域１４は、視認可能領域１６と平滑化投影領域１８とからなる。
平滑化投影領域１８は、被投影画像領域１４の一部の領域であり、被投影画像領域１４に含まれた領域である。この平滑化投影領域１８は、プレゼンテーションの発表者や視聴者によって文字や図などが板書されたり、ポスターや張り紙などの紙媒体の資料が付されたりすることによって形成された領域である。いずれにしても、プロジェクタ１１０によって投影されたコンテンツの画像とは異なる情報が、コンテンツの画像に視認可能に重畳されることによって形成された領域である。このように、平滑化投影領域１８は、プロジェクタ１１０によって投影されたコンテンツの画像とは異なる情報が重畳された領域であり、このコンテンツの画像とは異なる情報を視認可能にするための領域である。すなわち、平滑化投影領域１８は、プレゼンテーションの発表者や視聴者によって板書された文字や図などや、ポスターや張り紙などの紙媒体の資料を視認しやすくための領域である。このため、平滑化投影領域１８においては、プロジェクタ１１０によって投影されるコンテンツの画像を視認しにくくする処理をするのが好ましい。したがって、平滑化投影領域１８に投影すべきコンテンツの画像については、投影する前に、予め平滑化処理を施す。このように、平滑化投影領域１８は、平滑化投影領域１８に投影されているコンテンツの画像をプレゼンテーションの発表者や視聴者に視認させにくくすることによって、板書やポスターや張り紙などを視認しやすくするための領域である。言い換えれば、平滑化投影領域１８は、板書やポスターや張り紙などのコンテンツの画像とは異なる情報が存在する領域であるので、コンテンツの画像をプレゼンテーションの発表者や視聴者に視認させにくくしてコンテンツの画像を投影する領域である。
【００４０】
この平滑化処理は、画素（ピクセル）ごとの濃度値の細かい変化を少なくしたり、画素ごとの輝度値の細かい変化を軽減したりすることによって、滑らかな画像にする処理や、画像をぼかす処理である。具体的には、平滑化処理の態様は、暗くなると視認できる方向（照度や輝度を低める）で平滑化したり、明るくなると視認できる方向（照度や輝度を高める）で平滑化したり、コントラストを低下させることで平滑化したり、色を混ぜることで平滑化したり、フィルタに依る画像処理によって、全体をぼかしたり輪郭をぼかしたりすることで平滑化したりするものなどである。
【００４１】
また、視認可能領域１６は、被投影画像領域１４のうちの平滑化投影領域１８を除いた領域である。平滑化投影領域１８が複数存在する場合には、全ての平滑化投影領域１８を、被投影画像領域１４から除いた領域が、視認可能領域１６となる。この視認可能領域１６は、プロジェクタ１１０によって投影されたコンテンツの画像を、プレゼンテーションの視聴者に、積極的に視認させるための領域である。
【００４２】
さらに、被投影体１０に形成される領域には、テストパターン投影領域２０もある。このテストパターン投影領域２０は、被投影画像領域１４の大きさや位置を画定するために便宜的に用いる領域である。なお、図１（ｂ）では、テストパターン投影領域２０は、破線で囲んだ矩形の領域である。
【００４３】
＜＜＜プロジェクタ１１０の構成＞＞＞
プロジェクタ１１０の機能の概略を示すブロック図を図２に示す。
【００４４】
＜＜電子制御系の構成＞＞
プロジェクタ１１０は、ＣＰＵ・ＲＯＭ・ＲＡＭ１１２、記憶手段１１６と、制御パネル１１８と、入力手段１２０と、撮像手段１２２とを含む。
【００４５】
＜ＣＰＵ・ＲＯＭ・ＲＡＭ１１２（領域設定手段、領域決定手段）＞
プロジェクタ１１０は、演算等を行うＣＰＵ（中央処理装置）、ＲＯＭ（リードオンリーメモリー）、及びＲＡＭ（ランダムアクセスメモリー）を含む。これらのＣＰＵ・ＲＯＭ・ＲＡＭ１１２は、入出力バス１１４によって電気的に接続されており、データ信号やアドレス信号が入出力できるようになされている。
【００４６】
ＣＰＵは、後述する図３〜図４に示す各種のプログラムを実行する。ＲＯＭには、これらの図３〜図４に示す各種のプログラムが予め記憶されている。また、ＲＡＭには、これらのプログラムが使用する変数の値や各種のデータが、プログラムが実行されるに従って記憶される。
【００４７】
＜記憶手段１１６＞
記憶手段１１６は、コンテンツのデータを記憶する。コンテンツのデータは、文書作成ソフトウエアで作成されたデータ、表計算ソフトウエアで作成されたデータ、プレゼンテーションソフトウエアで作成されたデータ、画像データ、動画データ等のプレゼンテーションとして提示できる各種のデータであればよい。なお、上述したＲＯＭやＲＡＭには、これらのコンテンツのデータを投影像として表示するためのビューアー等のアプリケーションソフトウエアも実行できるように予め記憶されている。
【００４８】
記憶手段１１６も、入出力バス１１４に電気的に接続されており、コンテンツのデータは、記憶手段１１６から入出力バス１１４に供給される。記憶手段１１６は、例えば、ＵＳＢ（Universal Serial Bus）メモリや、ハードディスクドライブ等のデータの読み込み及び書き込みをすることができるものであればよい。
【００４９】
＜制御パネル１１８＞
制御パネル１１８は、操作者がプロジェクタ１１０を操作するためのパネルである。例えば、制御パネル１１８は、プロジェクタ１１０の電源のオンオフなどを制御したり、投影条件を定めたりするための表示部や操作部などが形成されている。また、後述する入力手段１２０の代わりに制御パネル１１８を用いて、コンテンツのデータを編集したり操作したりしてもよい。
【００５０】
制御パネル１１８は、入出力バス１１４に電気的に接続されており、制御パネル１１８から送信された制御信号は、プロジェクタ１１０を制御するために、ＣＰＵに供給される。
【００５１】
＜入力手段１２０＞
入力手段１２０は、コンテンツに対する操作をするためのものである。入力手段１２０は、操作者が操作することによって、情報を入力することができるものであればよく、例えば、キーボード１２０ａやマウス１２０ｂなどからなる。また、図２に示した例では、入力手段１２０は、プロジェクタ１１０の入出力バス１１４に直接接続されている場合を示したが、パーソナルコンピュータ（ＰＣ）に接続されたキーボードやマウス（図示せず）を入力手段１２０としてもよい。このようにした場合には、通信手段（図示せず）を介してパーソナルコンピュータ（ＰＣ）をプロジェクタ１１０に接続することによって、パーソナルコンピュータ（ＰＣ）に接続されたキーボードやマウスから入力された情報を取得することができる。
【００５２】
また、プロジェクタ１１０を遠隔操作するためのリモコン装置（図示せず）を用いて、各種の情報を入力できるようにしてもよい。この場合には、入力手段１２０として赤外線制御部や赤外線受光部を用いればよい。このようにすることで、赤外線受光部は、リモコン装置から発せられた赤外線を受光し、受光した赤外線を電気信号に変換し、赤外線制御部に供給する。赤外線制御部は、赤外線受光部から発せられた電気信号に応じた制御信号を入出力バス１１４に供給する。このようにすることで、リモコン装置からのコマンドがＣＰＵ１１２に供給することができる。
【００５３】
＜撮像手段１２２＞
撮像手段１２２は、被投影体１０の投影面１２を撮像するためのものである。撮像手段１２２は、例えば、ＣＣＤイメージセンサ（Charge Coupled Device Image Sensor）や、ＣＭＯＳイメージセンサなどの撮像素子からなる。なお、撮像手段１２２は、これらの撮像素子からなるものでなくても、投影面１２を撮像できるものであればよい。
【００５４】
撮像手段１２２は、撮像手段１２２の光軸が、後述する結像光学系１３８の光軸と略平行になるように配置されており、プロジェクタ１１０が投影するコンテンツの画像や被投影体１０の投影面１２を撮像することができる。なお、撮像手段１２２は、撮像手段１２２の領域が、上述した被投影画像領域１４やテストパターン投影領域２０の全てが撮像できる程度に予め定められている。
【００５５】
この撮像手段１２２によって、被投影体１０の投影面１２に投影されたテストパターン投影領域２０を撮像し、撮像したデータを画像処理することにより、被投影画像領域１４や平滑化投影領域１８を画定することができる。
【００５６】
＜＜光学系の構成＞＞
プロジェクタ１１０は、さらに、画像処理回路１３０と、光変調素子ドライブ回路１３２と、ランプ制御回路１２６と、ランプ１２８と、照明光学系１３４と、光変調素子１３６と、結像光学系１３８とを含む。
【００５７】
＜ランプ制御回路１２６＞
ランプ制御回路１２６は、後述するランプ１２８を制御する。ランプ制御回路１２６も入出力バス１１４に電気的に接続されている。ランプ制御回路１２６には、ランプ１２８が電気的に接続されている。ＣＰＵ１１２から送信された制御信号がランプ制御回路１２６に供給されることによって、ランプ制御回路１２６は、供給された制御信号に応じて、ランプ１２８の点灯や、消灯や、発光強度などを制御する。
【００５８】
＜ランプ１２８（光源）＞
ランプ１２８は、所定の波長で所定の強度の光を発するもの、例えば、ハロゲンランプや高圧水銀ランプからなる。このランプ１２８は、発せられた光が、プロジェクタ１１０の外に向かって発せられるように、プロジェクタ１１０の内部の所定の位置に配置されている。
【００５９】
＜画像処理回路１３０、光変調素子ドライブ回路１３２＞
画像処理回路１３０は、表示用メモリ（図示せず）を含む。この表示用メモリには、上述した記憶手段１１６から供給された各種のコンテンツのデータが、ＣＰＵ１１２から送信された制御信号に応じて、表示用のデータに変換されて記憶される。
【００６０】
画像処理回路１３０も入出力バス１１４に電気的に接続されている。画像処理回路１３０には、上述した表示用メモリと光変調素子ドライブ回路１３２とが電気的に接続されている。画像処理回路１３０は、上述したＣＰＵ１１２から送信された制御信号に応じて、表示用メモリに記憶されているデータに基づいて、光変調素子ドライブ回路１３２を制御するための制御信号を光変調素子ドライブ回路１３２に送信する。
【００６１】
光変調素子ドライブ回路１３２は、画像処理回路１３０から送信された制御信号に応じて、光変調素子１３６を駆動するための駆動信号を光変調素子１３６に送信する。光変調素子１３６は、画像処理回路１３０から供給された駆動信号に応じて、光変調素子１３６に至った光を、通過させる動作又は遮断する動作をする。このようにすることで、各種のコンテンツを投影像として投影することができる。
【００６２】
＜照明光学系１３４＞
図２に示すように、ランプ制御回路１２６によって制御されるランプ１２８から発せられた光は、上述した照明光学系１３４に導かれる。
【００６３】
照明光学系１３４は、例えば、反射鏡（図示せず）や、フィルタ（図示せず）や、レンズ（図示せず）等を含む。これらの反射鏡やフィルタやレンズは、プロジェクタ１１０の内部の所定の位置に設けられている。
【００６４】
照明光学系１３４は、後述するフィルタを通過した光を、平行光に近づけると共に、その強度を均一に近づけて、後述する光変調素子１３６に導く。照明光学系１３４は、ランプ１２８から発せられた光を光変調素子１３６に入射させるために好ましい光に変換できるものであればよい。
【００６５】
＜反射鏡＞
ランプ１２８の周囲には、反射鏡が設けられている。反射鏡の反射面は、所定の曲面形状、例えば、放物面形状や楕円面形状を有する。反射鏡は、反射鏡の反射面の焦点の位置が、ランプ１２８のフィラメントの位置とおおよそ一致するように配置されている。反射鏡は、ランプ１２８から発せられた光を、反射面で反射させて集光し、後述する光変調素子１３６に向かうように導く。
【００６６】
＜フィルタ＞
反射鏡によって反射された光の進行方向には、フィルタが配置されている。フィルタは、ランプ１２８から発せられた光のうち、光変調素子１３６を傷める可能性のある波長の光や、人体等に影響を及ぼす可能性のある波長の光を予め遮断する。
【００６７】
＜光変調素子１３６＞
照明光学系１３４に導かれた光は、所望する変換がされて、光変調素子ドライブ回路１３２によって制御される光変調素子１３６に導かれる。
【００６８】
照明光学系１３４を通過した光の進行方向には、光変調素子１３６、例えば、液晶素子が配置されている。この光変調素子１３６は、上述したように、光変調素子ドライブ回路１３２から送信される駆動信号によって制御される。光変調素子１３６は、この駆動信号に応じて、光変調素子１３６に至った光を通過させたり遮断したりする動作をする。
【００６９】
この光変調素子１３６の動作によって光変調素子１３６を通過した光が、所望する投影像として、スクリーン等の投影面（図示せず）に形成される。
【００７０】
なお、光変調素子１３６は、上述した液晶素子だけでなく、ＤＭＤ（デジタル・マイクロミラー・デバイス）など、ランプ１２８から発せられた光の進行を制御できるものであればよい。
【００７１】
＜他の光学素子＞
また、ランプ１２８から発せられた光の強度をより均一に近づけて光変調素子１３６に照射させるためのロッド等の光学素子を、照明光学系１３４にさらに加えてもよい。また、良く知られている複数の光変調素子を使う場合、赤、緑、青の原色光に分離する色分離プリズムや変調された各色の光を合成する色合成プリズムを設けてもよい。
【００７２】
＜結像光学系１３８＞
光変調素子１３６に導かれた光は、変調されて、上述した結像光学系１３８に導かれる。なお、図２においては、ランプ１２８から発せられて、結像光学系１３８に至り、プロジェクタ１１０から発せられる光を破線で示した。
【００７３】
＜投影レンズ＞
上述した光変調素子１３６を通過した光の進行方向には、投影レンズ（図示せず）が設けられている。上述したように、投影レンズは、光変調素子１３６を通過した光を、所定の方向に向かって拡がるように変換する。この投影レンズによって、投影像を所望する大きさにして投影することができる。
【００７４】
スクリーン等の投影面に投影させるために好ましい光に変換するものであればよく、投影レンズの形状や数については、適宜定めればよい。
【００７５】
＜ズーム機能＞
さらに、結像光学系１３８に、可動レンズ群を設けて、ズーム機能を有するようにしてもよい。このようにすることで、投影像を所望する大きさに拡大又は縮小することができる。
【００７６】
なお、ズーム機能は、可動レンズ群のように光学的に拡大又は縮小するようにしても、上述したＣＰＵ１１２や画像処理回路１３０の演算処理によって行ってもよい。
【００７７】
＜投影像の補正＞
また、光変調素子１３６を通過した光は、投影面に斜めに投影される場合もあり、投影される投影像が歪む可能性がある。このような歪みを補正するための機構や方法は、補正するための光学素子を結像光学系１３８に設けて光学的に行っても、上述したＣＰＵ１１２や画像処理回路１３０の演算処理によって行ってもよい。
【００７８】
＜＜＜プロジェクタ１１０における制御処理＞＞＞
以下では、プロジェクタ１１０における制御処理について説明する。図３〜図４は、プロジェクタ１１０で実行される処理のフローチャートである。以下においては、プロジェクタ１１０は、予め起動されており、上述した制御に用いられる種々の変数の初期化等の起動処理を終えて、定常動作しているものとする。なお、図３〜図４に示すフローチャートは、プロジェクタ１１０における制御処理を実行するための１つの例を示したにすぎず、この処理手順には限られない。
【００７９】
＜＜領域表示・画像投影処理＞＞
図３は、プロジェクタ１１０で実行される各種の領域を表示する処理及び画像を投影する処理を実行するためのフローチャートである。
【００８０】
最初に、後述する図４のサブルーチンを呼び出して実行して、視認可能領域１６と平滑化投影領域１８とを決定する（ステップＳ３０１）。
【００８１】
次に、ステップＳ３０１の処理で定められた平滑化投影領域の数が複数存在するか否かを判断する（ステップＳ３０２）。平滑化投影領域の数が複数存在すると判別したとき（ＹＥＳ）には、存在する複数の平滑化投影領域の各々に対して実行する平滑化処理の態様を設定する（ステップＳ３０３）。この平滑化処理の態様は、上述したように、平滑化処理の態様には、暗くなると視認できる方向（照度や輝度を低める）で平滑化したり、明るくなると視認できる方向（照度や輝度を高める）で平滑化したり、コントラストを低下させることで平滑化したり、色を混ぜることで平滑化したり、フィルタに依る画像処理によって、全体をぼかしたり輪郭をぼかしたりすることで平滑化したりするものなどがある。
【００８２】
ステップＳ３０２の判断処理で平滑化投影領域の数が複数存在しないと判別したとき（ＮＯ）、又はステップＳ３０３の処理を実行したときには、存在する平滑化投影領域に対して、設定した平滑化処理の態様となるように平滑化処理を実行する（ステップＳ３０４）。
【００８３】
この平滑化処理は、指定された設定に応じて演算処理を実行し、赤（Ｒ）・緑（Ｇ）・青（Ｂ）の各値を変更したり、パレットを変更したり等の処理を行う。
【００８４】
また、平滑化処理を行った後のコンテンツの画像のデータを、記憶手段１１６に記憶させるようにしてもよい。この場合に、元のコンテンツの画像のデータとは別に記憶させておくことで、元のコンテンツの画像を投影すべきときには、元のコンテンツの画像のデータを読み出して投影すればよく、平滑化処理後のコンテンツの画像を投影すべきときには、平滑化処理後のコンテンツの画像のデータを読み出して投影すればよいので、コンテンツの画像を目的や要望に応じて簡便かつ迅速に投影することができる。
【００８５】
さらに、平滑化処理後のコンテンツの画像のデータ自体を、記憶手段１１６に記憶させずに、平滑化処理の設定の情報のみを記憶手段１１６に記憶させるようにしてもよい。平滑化処理の設定の情報のみを記憶させることによって、コンテンツの画像のデータによって記憶手段１１６が占められる量を小さくすることができ、記憶手段１１６を十分に活用することができる。記憶手段１１６からデータを読み出すための時間を短縮することもできる。この場合には、平滑化処理の設定の情報を用いて、元のコンテンツの画像のデータに対して平滑化処理を行い、後述するステップＳ３０５の処理によって投影すればよい。
【００８６】
次いで、平滑化処理されて指定されたコンテンツの画像を表示する（ステップＳ３０５）。この処理を実行することによって、プレゼンテーションの発表者は、所望するコンテンツの画像を被投影体１０に投影することができる。このコンテンツの画像の指定は、プレゼンテーションの発表者等が、上述した制御パネル１１８を操作したり、リモコン（図示せず）を操作したりすることによって行うことができる。このステップＳ３０５の処理を実行することによって、図６に示すように、平滑化投影領域１８が形成されたコンテンツの画像のデータを投影することができる。
【００８７】
また、例えば、ホワイトボードに何も板書されていない場合や、壁に何もポスターや張り紙などは貼付されていないような場合には、後述する図４のサブルーチンを実行したときに、平滑化投影領域１８が存在しないと判別する。このように、平滑化投影領域１８が存在しないと判別した場合に、上述したステップＳ３０５の処理を実行すると、図７（ａ−１）に示すように、被投影画像領域１４の全てが視認可能領域１６になってコンテンツの画像が投影される。この例では、視認可能領域１６は、白い円と白い長方形と白い正三角形と背景とからなるコンテンツの画像によって構成される。なお、図７（ａ−１）では、背景を明確に示すために、背景の領域には斜線を付した。
【００８８】
さらに、後述する図４のサブルーチンを実行したときに、平滑化投影領域１８が１つのみ存在すると判別する場合がある。例えば、ホワイトボードに１箇所だけ板書されている場合や、１枚のポスターや張り紙などが壁に貼付されているような場合には、平滑化投影領域１８が１つのみ存在すると判別される。このような場合には、図７（ａ−２）に示すように、被投影画像領域１４には、視認可能領域１６と１つの平滑化投影領域１８とが、コンテンツの画像として投影される。この１つの平滑化投影領域１８には、「あいうえおかきくけこ」なる文字列からなる板書がされていたり、「あいうえおかきくけこ」なる文字列からなるポスターや張り紙などがされていたりする。この「あいうえおかきくけこ」なる文字列を視認しやすくするために、平滑化投影領域１８に含まれるコンテンツの画像を平滑化処理を施して投影する。このようにすることで、平滑化投影領域１８が被投影画像領域１４に形成されることになる。この例の場合には、被投影画像領域１４から１つの平滑化投影領域１８を除いた領域が視認可能領域１６となる。この図７（ａ−２）に示した例でも、視認可能領域１６は、白い円と白い長方形と白い正三角形と背景とからなるコンテンツの画像によって構成される。なお、この図７（ａ−２）でも、背景を明確に示すために、背景の領域には斜線を付した。
【００８９】
さらにまた、後述する図４のサブルーチンを実行したときに、平滑化投影領域１８が複数存在すると判別した場合もある。例えば、ホワイトボードに３箇所板書されている場合や、３枚のポスターや張り紙などが壁に貼付されているような場合には、平滑化投影領域１８ａ〜１８ｃが３つ存在すると判別される。このような場合には、図７（ｂ）に示すように、被投影画像領域１４には、視認可能領域１６と３つの平滑化投影領域１８ａ〜１８ｃとが、コンテンツの画像として投影される。第１の平滑化投影領域１８ａには、「あいうえおかきくけこ」なる文字列からなる板書がされていたり、「あいうえおかきくけこ」なる文字列からなるポスターや張り紙などがされていたりする。第２の平滑化投影領域１８ｂには、「ＡＢＣ」なる文字列からなる板書がされていたり、「ＡＢＣ」なる文字列からなるポスターや張り紙などがされていたりする。第３の平滑化投影領域１８ｃには、「１２３４」なる文字列からなる板書がされていたり、「１２３４」なる文字列からなるポスターや張り紙などがされていたりする。この例の場合には、被投影画像領域１４から３つの平滑化投影領域１８ａ〜１８ｃを除いた領域が視認可能領域１６となる。この図７（ｂ）に示した例でも、視認可能領域１６は、白い円と白い長方形と白い正三角形と背景とからなるコンテンツの画像によって構成される。なお、この図７（ｂ）でも、背景を明確に示すために、背景の領域には斜線を付した。
【００９０】
また、上述したステップＳ３０４の処理によって、平滑化投影領域１８に含まれるコンテンツの画像に対して、設定された平滑化処理の態様となるように平滑化処理を実行して、ステップＳ３０５の処理によって、コンテンツの画像が投影されたときには、平滑化投影領域１８については、設定された平滑化処理の態様でコンテンツの画像が投影される。
【００９１】
例えば、被投影画像領域１４が、視認可能領域１６と１つの平滑化投影領域１８とから構成される場合に、平滑化投影領域１８を暗くするにように設定されたときには、設定に応じて演算処理を実行し、平滑化投影領域１８に含まれる画像の赤（Ｒ）・緑（Ｇ）・青（Ｂ）の各値を変更して、ステップＳ３０５の処理によって、コンテンツの画像を投影する。このようにすることで、図８（ａ）に示すように、平滑化投影領域１８は、暗くなった態様で投影される。なお、図８（ａ）は、暗くなった態様で投影されていることを示すために、平滑化投影領域１８に斜線を付して示した。
【００９２】
また、平滑化投影領域１８を単一色にするように設定されたときには、設定に応じて演算処理を実行し、平滑化投影領域１８に含まれる画像の赤（Ｒ）・緑（Ｇ）・青（Ｂ）の各値を変更して、ステップＳ３０５の処理によって、コンテンツの画像を投影する。このようにすることで、図８（ｂ）に示すように、平滑化投影領域１８は、単一色で表示される。なお、図８（ｂ）は、単一色で投影されていることを示すために、平滑化投影領域１８に斜線を付して示した。
【００９３】
次に、投影するコンテンツの画像を変更すべき指示（以下、変更指示と称する。）が発せられたか否かを判断する（ステップＳ３０６）。この変更指示も、プレゼンテーションの発表者等が、制御パネル１１８を操作したり、リモコン（図示せず）を操作したりすることによって、発せられるものである。ステップＳ３０６の判断処理で、変更指示が発せられたと判別したとき（ＹＥＳ）には、変更指示によって示されたコンテンツの画像のデータを記憶手段１１６から読み出して、読み出したコンテンツの画像のデータによって、コンテンツの画像を投影し（ステップＳ３０７）、上述したステップＳ３０１に処理を戻す。
【００９４】
上述したステップＳ３０６の判断処理で、変更指示が発せられていないと判別したとき（ＮＯ）には、被投影体１０の投影面１２に投影されているコンテンツの画像を移動させて、すなわち、投影する位置を変更して投影する指示が発せられたか否かを判断する（ステップＳ３０８）。この指示も、プレゼンテーションの発表者等が、制御パネル１１８を操作したり、リモコン（図示せず）を操作したりすることによって、発せられる指示である。コンテンツの画像を移動させて投影すると判別したとき（ＹＥＳ）には、その新たな位置でコンテンツの画像が投影されるように処理をして（ステップＳ３０９）、上述したステップＳ３０６に処理を戻す。ステップＳ３０９の処理におけるコンテンツの画像の移動は、視認可能領域内に含まれるように実行する。
【００９５】
このように、コンテンツの画像を移動させて投影した例を図９（ａ）に示す。コンテンツの画像を図面の左方向に移動させたことによって、被投影画像領域１４の右側には、コンテンツの画像が投影されていない空白の領域２２が形成される。このようにコンテンツの画像を移動して空白の領域２２を生成することによって、平滑化投影領域１８を形成するための領域を十分に確保できる。
【００９６】
上述したステップＳ３０８の判断処理で、コンテンツの画像を移動させて投影しないと判別したとき（ＮＯ）には、平滑化投影領域を移動させて、平滑化投影領域の位置を異ならしめて、コンテンツの画像を投影する指示が発せられたか否かを判断する（ステップＳ３１０）。この指示も、プレゼンテーションの発表者等が、制御パネル１１８を操作したり、リモコン（図示せず）を操作したりすることによって、発せられる指示である。平滑化投影領域の移動させる指示が発せられたと判別したとき（ＹＥＳ）には、平滑化投影領域の位置を異ならしめて、コンテンツの画像を投影して（ステップＳ３１１）、上述したステップＳ３０６に処理を戻す。
【００９７】
上述したステップＳ３１１の処理によって、平滑化投影領域の位置を異ならしめてコンテンツの画像を投影した例を図９（ｂ−１）及び（ｂ−２）に示す。なお、図９（ｂ−１）は、移動前のコンテンツの画像を示す例で、図９（ｂ−２）は、平滑化投影領域１８を移動させた後のコンテンツの画像を示す例である。例えば、ホワイトボードの板書できるフィルムを移動させたり、ホワイトボード自体を移動させたりした場合や、壁に貼付しているポスターや張り紙の位置を変更して貼付し直したような場合がある。このような場合であっても、平滑化投影領域１８の位置を異ならしめてコンテンツの画像を投影することによって、プレゼンテーションの発表者や視聴者に視認しやすくすることができる。例えば、図９（ｂ−１）では、「あいうえおかきくけこ」なる文字列は、ポスターに記載された情報であり、ポスターは被投影画像領域１４の右下に位置している。その後、都合によって、図９（ｂ−２）に示すように、ポスターの位置を変更して張り直した場合には、ポスターの位置に応じて、平滑化投影領域１８の位置も異ならしめる必要がある。このように、図９（ｂ−２）に示すように、平滑化投影領域１８の位置を変更することによって、被投影画像領域１４の右下に位置して投影されていた白いひし形を明確に示すように、コンテンツの画像を投影することができる。
【００９８】
ステップＳ３１０の判断処理で、平滑化投影領域の移動させる指示が発せられていないと判別したとき（ＮＯ）には、終了操作がされたか否かを判断する（ステップＳ３１２）。終了操作も、プレゼンテーションの発表者等が、制御パネル１１８を操作したり、リモコン（図示せず）を操作したりするものである。終了操作がされていないと判別したとき（ＮＯ）には、上述したステップＳ３０６に処理を戻す。一方、終了操作がされていないと判別したとき（ＹＥＳ）には、本サブルーチンを終了する。
【００９９】
＜＜領域決定処理＞＞
図４は、上述した図３のステップＳ３０１の処理で呼び出されて実行されるサブルーチンであり、視認可能領域１６と平滑化投影領域１８とを設定するためのサブルーチンである。
【０１００】
最初に、撮像手段１２２を用いて被投影体１０の像を撮像する（ステップＳ４０１）。この処理を実行することにより、例えば、被投影体１０がホワイトボードであるような場合で、ホワイトボードに既に何らかの板書がされているようなときに、その板書のデータも含めて、被投影体１０の像の画像として取り込むことができる。また、被投影体１０が壁であるような場合で、壁に何らかのポスターや張り紙が付されているようなときに、そのポスターや張り紙に記載されている文字や図なども含めて、被投影体１０の像の画像として取り込むことができる。
【０１０１】
例えば、図５（ａ）に示すように、「あいうえおかきくけこ」なる文字列が被投影体１０に既に板書されているような場合に、ステップＳ４０１の処理を実行することによって、「あいうえおかきくけこ」という板書も含めて、被投影体１０の像の画像として取り込むことができる。
【０１０２】
ステップＳ４０１の処理を実行した後、所定のテストパターンの画像を投影し（ステップＳ４０２）、次いで、撮像手段１２２を用いて、そのときの被投影体１０の像を撮像する（ステップＳ４０３）。
【０１０３】
ステップＳ４０２の処理で投影する所定のテストパターンは、被投影体１０に既に何らかの板書がされているような場合に、その板書のデータと判別できるものが好ましい。例えば、図５（ｂ）に示すように、所定の色で構成された枠線などが好ましい。図５（ｂ）では、テストパターンを矩形形状を有する破線の枠線として示した。
【０１０４】
上述したように、ステップＳ４０２及びＳ４０３の処理は、既にされた板書のデータと判別できるようにする必要があるので、ステップＳ４０２及びＳ４０３の処理を１回のみ実行するのではなく、複数回実行するようにしてもよい。このとき、実行する度に、異なる色や形状で構成されたテストパターンを投影することによって、既にされた板書のデータとの判別をより的確に行うことができる。板書の色と枠（テストパターン）の色とを異ならしめることで区別しやすくなる。投影領域は、プロジェクタと被投影体の位置やズームとによって変化するので、板書が投影領域と重なるか、又は重ならないか、更に、重なる場合には、相対的にどの領域に重なるかをテストパターンの投影によって容易に決定できる。
【０１０５】
また、ステップＳ４０２の処理で投影する所定のテストパターンの大きさは、コンテンツの画像を投影する領域と同じものが好ましい。このような大きさにすることで、コンテンツの画像を投影する領域内に対する板書のデータの相対的な位置を漏れなく的確に取得することができる。テストパターンの大きさが、コンテンツの画像を投影する領域よりも大きくてもよいが、この場合には、テストパターンと投影領域との関係は決まっているので、板書が投影領域と重なるか、又は重ならないか、更に、重なる場合には、相対的にどの領域に重なるかをテストパターンの投影によって容易に決定できる。なお、被投影体１０に何ら板書がされていないようなときや、ポスターや張り紙が付されていないようなときには、ステップＳ４０３の処理は、被投影体１０に投影されたテストパターンの像のみを撮像することになる。
【０１０６】
次に、ステップＳ４０１の処理で撮像したデータと、ステップＳ４０３の処理で撮像したデータとを比較し（ステップＳ４０４）、比較の結果、共通している範囲を抽出して、投影領域に対する相対的な範囲を平滑化投影領域１８として決定する（ステップＳ４０５）。
【０１０７】
上述したステップＳ４０５の処理によって、共通している範囲を抽出することにより、被投影体１０にされた板書の位置や大きさや数、被投影体１０に付されたポスターや張り紙の位置や大きさや数を取得することができ、その範囲を平滑化投影領域１８とすることができる。
【０１０８】
上述したステップＳ４０５の処理において、平滑化投影領域１８は、その大きさが最も小さくなるように決定するのが好ましい。このようにすることで、コンテンツの画像を投影できる視認可能領域１６をなるべく大きく確保することができるとともに、平滑化処理を実行するための領域を小さくできるので、平滑化処理の負担を軽減することができる。例えば、板書された文字や図の範囲や、付されたポスターや張り紙を含む最も小さい矩形の範囲の大きさと位置と数とを定め、その範囲を平滑化投影領域１８とする。
【０１０９】
また、上述したステップＳ４０５の処理を実行することによって、複数の範囲が存在すると認識した場合には、その複数の範囲の各々を平滑化投影領域１８とする。
【０１１０】
さらに、上述したステップＳ４０５の処理では、所定の大きさ以上の範囲を平滑化投影領域１８とするのが好ましい。このように判別することによって、例えば、ゴミや傷などで構成された小さい範囲を平滑化投影領域１８とするような誤認識を的確に防止することができる。
【０１１１】
上述したステップＳ４０５の処理を実行した後、被投影画像領域１４から平滑化投影領域１８を除くことによって、視認可能領域１６を決定する（ステップＳ４０６）。
【０１１２】
次に、ステップＳ４０５の処理で決定した平滑化投影領域１８の大きさや範囲や形状や数を変更するか否かを判断する（ステップＳ４０７）。プレゼンテーションの発表者が、ステップＳ４０５の処理によって決定された平滑化投影領域１８の大きさや範囲や形状や数を変更する必要があると判断したときには、上述した制御パネル１１８を操作したり、リモコン（図示せず）を操作したりすることによって、変更すべき指示を発することができ、ステップＳ４０７は、この変更すべき指示が発せられたか否かを判断する処理である。
【０１１３】
ステップＳ４０７の判断処理で、平滑化投影領域１８の大きさや範囲や形状や数を変更すると判別したとき（ＹＥＳ）には、平滑化投影領域１８の大きさや範囲や形状や数を変更する（ステップＳ４０８）。この処理も、プレゼンテーションの発表者が、制御パネル１１８を操作したり、リモコン（図示せず）を操作したりすることによって実行することができる。このように平滑化投影領域１８の大きさや範囲や形状や数を変更することで、ステップＳ４０５の処理によって決定された平滑化投影領域１８の大きさや範囲や形状や数を、プレゼンテーションの発表者が所望するものに変更することができる。
【０１１４】
上述したステップＳ４０７の判断処理で平滑化投影領域１８の大きさや範囲や形状や数を変更しないと判別したとき（ＮＯ）、又はステップＳ４０８の処理を実行したときには、ステップＳ４０６の処理で決定した視認可能領域１６の大きさや範囲や形状を変更するか否かを判断する（ステップＳ４０９）。プレゼンテーションの発表者が、ステップＳ４０６の処理によって決定された視認可能領域１６の大きさや範囲や形状を変更する必要があると判断したときには、上述した制御パネル１１８を操作したり、リモコン（図示せず）を操作したりすることによって、変更すべき指示を発することができ、ステップＳ４０９は、この変更すべき指示が発せられたか否かを判断する処理である。
【０１１５】
なお、上述したように、視認可能領域１６は、被投影画像領域１４のうちの平滑化投影領域１８を除いた領域であるので、視認可能領域１６は、原則１つであるが、平滑化投影領域１８の形状によっては、視認可能領域１６が分断されて、複数になる場合もある。例えば、平滑化投影領域１８が、被投影画像領域１４の左右方向又は上下方向に大きく跨って存在するような場合には、視認可能領域１６は分断されて、複数になる。このような場合には、存在する視認可能領域１６の数を定めて、その各々の大きさや範囲や形状を特定して、複数の視認可能領域１６とすればよい。このようにすることで、視認可能領域１６の数が増減した場合であっても、視認可能領域１６を的確に定めることができる。
【０１１６】
ステップＳ４０９の判断処理で、視認可能領域１６の大きさや範囲や形状を変更すると判別したとき（ＹＥＳ）には、視認可能領域１６の大きさや範囲や形状を変更する（ステップＳ４１０）。この処理も、プレゼンテーションの発表者が、制御パネル１１８を操作したり、リモコン（図示せず）を操作したりすることによって実行することができる。このように視認可能領域１６の大きさや範囲や形状を変更することで、ステップＳ４０６の処理によって決定された視認可能領域１６の大きさや範囲や形状を、プレゼンテーションの発表者が所望するものに変更することができる。
【０１１７】
なお、平滑化投影領域１８の大きさや範囲や形状を定めれば、視認可能領域１６の大きさや範囲や形状が決まり、視認可能領域１６の大きさや範囲や形状を定めれば、平滑化投影領域１８の大きさや範囲や形状が決まるので、平滑化投影領域１８又は視認可能領域１６のうちのどちらか一方を定めればよい。これは、平滑化投影領域１８又は視認可能領域１６の大きさや範囲や形状に応じて、プレゼンテーションの発表者が、変更の操作が容易になると思われる方を適宜選択して、ステップＳ４０７及びＳ４０８か、ステップＳ４０９及びＳ４１０かの処理を実行すればよい。
【０１１８】
上述したステップＳ４０９の判断処理で視認可能領域１６の大きさや範囲や形状を変更しないと判別したとき（ＮＯ）、又はステップＳ４１０の処理を実行したときには、決定された視認可能領域１６の大きさと範囲と形状、及び平滑化投影領域１８の大きさと範囲と形状に定めた情報を記憶手段１１６に記憶させ（ステップＳ４１１）、本サブルーチンを終了する。
【０１１９】
このサブルーチンを実行することによって、図６に示すように、視認可能領域１６の大きさと範囲と形状と数、及び平滑化投影領域１８の大きさと範囲と形状と数を決定することができる。
【０１２０】
上述した実施例では、図４に示したサブルーチンは、図３のステップＳ３０１で呼び出されて実行される。このため、図３に示した処理が繰り返して実行される度に、図４に示したサブルーチンも実行される。このようにしたことで、ホワイトボードの板書できるフィルムを移動させたり、ホワイトボード自体を移動させたりした場合や、新たに書き込みをして板書が増えたような場合や、板書を消して減らしたような場合や、壁に貼付しているポスターや張り紙の位置を変更して貼付し直したような場合や、その数に増減が生じたような場合でも、直ちにその位置を検出して、視認可能領域１６や平滑化投影領域１８を定めることができる。
【図面の簡単な説明】
【０１２１】
【図１】プロジェクタ１１０を用いて被投影体１０にコンテンツの画像を投影している状態の概略を示す斜視図（ａ）と、被投影体１０に形成される各種の領域の概略を示す正面図（ｂ）とである。
【図２】プロジェクタ１１０の機能の概略を示すブロック図である。
【図３】領域表示・画像投影処理のサブルーチンを示すフローチャートである。
【図４】領域決定処理のサブルーチンを示すフローチャートである。
【図５】「あいうえおかきくけこ」なる文字列が、被投影体１０に板書されている状態を示す正面図（ａ）と、テストパターンの例を示す正面図（ｂ）とである。
【図６】視認可能領域１６と平滑化投影領域１８との例を示す正面図である。
【図７】平滑化投影領域１８が存在しないときの例を示す正面図（ａ−１）と、視認可能領域１６と１つの平滑化投影領域１８との例を示す正面図（ａ−２）と、視認可能領域１６と３つの平滑化投影領域１８ａ〜１８ｃとの例を示す正面図（ｂ）とである。
【図８】１つの平滑化投影領域１８を暗くすることによって平滑化処理をした例を示す正面図（ａ）と、１つの平滑化投影領域１８を単一色にすることによって平滑化処理をした例を示す正面図（ｂ）とである。
【図９】視認可能領域１６を移動して投影した例を示す正面図（ａ）と、平滑化投影領域１８を移動して投影した例を示す正面図（ｂ−１）及び（ｂ−２）とである。
【符号の説明】
【０１２２】
１１０  プロジェクタ
１１２  ＣＰＵ（領域設定手段、領域決定手段）
１２２  撮像手段（検出手段）
【図１】
2009157307.tif 000003
【図２】
2009157307.tif 000004
【図３】
2009157307.tif 000005
【図４】
2009157307.tif 000006
【図５】
2009157307.tif 000007
【図６】
2009157307.tif 000008
【図７】
2009157307.tif 000009
【図８】
2009157307.tif 000010
【図９】
2009157307.tif 000011